(57)【要約】【課題】  この考案は、選挙用の広告の寸法規制を守り、広告板をつけた選挙用自動車とすることを目的としたものである。【解決手段】  この考案は、車体の外壁面に下地層を設け、該下地層の上部に規制に合格した選挙用広告フィルムを層着したことを特徴とする選挙用広告自動車により目的を達成した。【選択図】  図１
0003105476.tif 000002
【実用新案登録請求の範囲】
【請求項１】
車体の外壁面に下地層を設け、該下地層の上部へ規制に合格した選挙用広告フィルムを層着したことを特徴とする選挙用広告自動車。
【請求項２】
車体の外壁面に合成樹脂フィルムへ色彩・模様を印刷した下地フィルムを貼着し、前記下地フィルムの上部へ規制に合格した選挙用広告フィルムを層着したことを特徴とする選挙用自動車。
【請求項３】
車体の外壁面に合成樹脂フィルムへ文字、図形、色彩・模様を印刷した下地フィルムを貼着し、前記下地フィルムに画かれた選挙用広告部分の必要面を立体視用のプリズムシートで被覆したことを特徴とする選挙用広告自動車。
【請求項４】
広告支持体の一面又は全面に合成樹脂フィルムへ文字、図形、色彩・模様を印刷した下地フィルムを貼着し、前記下地フィルム中１つ又は複数の広告文字、図形の上面を立体視用プリズムシートで被覆したことを特徴とする広告装置。
【考案の詳細な説明】
【技術分野】
【０００１】
この考案は、選挙用自動車に取り付ける広告に関し、規制寸法を守ると共に強調部を立体視できるようにすることを目的とした選挙用広告自動車及び広告装置に関する。
【背景技術】
【０００２】
従来選挙用自動車は、通常の自動車の車体へ規制寸法（例えば２７３ｃｍ×７３ｃｍ）の広告板を取り付けていたが、必然的に自動車の車体の形状、模様、色彩と調和しない場合が多く、かつ広告主体が引き立たなかった。
【特許文献１】実開昭５５−９５１８５
【特許文献２】特開２０００−７５４２９
【考案の開示】
【考案が解決しようとする課題】
【０００３】
前記従来の技術は、車体と広告との一体感に乏しく、なじみの薄いのみならず、広告主体も引き立たないなどの問題点があって、その改善を求められていたが、前記要望に応えるまでに到らなかった。
【課題を解決するための手段】
【０００４】
この考案は、伸延性を有し（従って車体の曲面になじみ、貼着に際し皺などを生じるおそれがない）、かつ強靭なフィルム（例えば合成樹脂）に所望の色彩・模様など印刷を施した下地フィルムを自動車の車体の外壁へ貼着し、前記下地フィルムの上面へ広告の文字、図形、色彩などを印刷した広告フィルムを層着することにより前記従来の問題点を解決したのである。
【０００５】
即ちこの考案は、車体の外壁面に下地層を設け、該下地層の上部へ規制に合格した選挙用広告フィルムを層着したことを特徴とする選挙用広告自動車であり、車体の外壁面に合成樹脂フィルムへ色彩・模様を印刷した下地フィルムを貼着し、前記下地フィルムの上部へ規制に合格した選挙用広告フィルムを層着したことを特徴とする選挙用自動車である。
【０００６】
また、車体の外壁面に合成樹脂フィルムへ文字、図形、色彩・模様を印刷した下地フィルムを貼着し、前記下地フィルムに画かれた選挙用広告部分の必要面を立体視用のプリズムシートで被覆したことを特徴とする選挙用広告自動車であり、広告支持体の一面又は全面に合成樹脂フィルムへ文字、図形、色彩・模様を印刷した下地フィルムを貼着し、前記下地フィルム中１つ又は複数の広告文字、図形の上面を立体視用プリズムシートで被覆したことを特徴とする広告装置である。
【０００７】
前記考案によれば、自動車の車体外形、色彩・模様と、広告とを調和させ、選挙運動に使用すると、認識力が良好になる。
【０００８】
また広告の必要個所を立体視用のプリズムシートで被覆するので、必要な広告部分が特別に立体視できる広告を任意に選択することができる。
【０００９】
前記考案における層着は、下地と車体壁との関係を示すものであって、車体に吹付け、刷毛などで色彩・模様を設ける場合と、予め印刷した下地フィルムを貼着する場合を含むものである。
【００１０】
前記立体視についてプリズムシートを被覆する技術は知られているが、この考案は、下地フィルムに描かれた文字、図形、又は広告用に描かれた文字、図形などの上面へ任意形状のプリズムシートを被覆するもので、特に目立たせる場合は勿論、並列した広告の文字又は図形中、アクセントをつけるなど、相違点を浮き彫りにする場合に採用する。
【００１１】
例えば選挙用ポスターにおいては、人物像のみにプリズムシートを貼着するような場合である。また公約文字を記載した際は、その中で最も重要な文字を立体視できるようにする。
【考案の効果】
【００１２】
この考案は、自動車の車体へ合成樹脂フィルムで下地層を層着し、その上へ広告フィルムを層着したので、全体として背景が確立し、広告を切り離して規制寸法内に収めることができる効果がある。
【００１３】
また下地層中必要個所を立体視用プリズムシートで被覆したので、必要部分のみを立体視できるようにして、広告にアクセントをつけると共に、目立たせることにより広告効果を一層向上することができる。
【００１４】
前記選挙用自動車については、使用済になれば下地フィルムを除去すればよいので、旧体復帰が容易にできる効果がある。
【００１５】
また一般に、広告フィルム中必要な個所を立体視用プリズムシートで被覆すれば、該部のみ立体化して広告効果を著しく向上し得る効果がある。
【考案を実施するための最良の形態】
【００１６】
この考案は、選挙に使用する自動車の車体外壁面に、色彩、模様などの必要な印刷を施した合成樹脂フィルムを貼着して下地層を形成し、該下地層の上面に選挙広告用のフィルム層を設けてこの考案の選挙用広告自動車を構成した。
【００１７】
次に強靭な合成樹脂フィルムに文字、図形、色彩、模様を印刷し、その中の必要部分（例えば文字と図形）の上面を立体視用プリズムシートで被覆することによりこの考案の広告装置を得た。
【実施例１】
【００１８】
自動車の車体１の前面に、色彩、模様２を印刷した合成樹脂フィルム３を層着し、該合成樹脂フィルム３の上面へ、文字４、図形５などを印刷した広告フィルム６を層着してこの考案の選挙用自動車１０を構成した。図中７は車体１の上部へ固定した広告板、８は文字、９は図形、１７は車体１の窓硝子である。
【００１９】
また図３（ａ）において、車体１の窓以外の壁面に色彩・模様２を印刷した合成樹脂フィルム３を貼着して下地層とし、前記合成樹脂フィルム３の上面へ、文字４、図形５を印刷した広告フィルム６を貼着してある。また車体１の上部には、広告板７を植設し、広告板７に文字８及び図形９が記載してある。
【００２０】
次に図３（ｂ）も前記と同様に、車体１の窓以外の壁面に色彩・模様２を印刷した合成樹脂フィルム３を貼着して下地層とし、前記合成樹脂フィルム３の上面へ、文字４、図形５を印刷した広告フィルム６を貼着してある。また車体の窓硝子１７にも広告フィルム６が貼着してある。
【００２１】
前記車体１の上部には広告板７を植設し、広告板７に文字８、及び図形９が記載してある。
【００２２】
前記実施例によれば、選挙規制は、広告フィルム６の寸法に及ぶにすぎないので、下地とした合成樹脂フィルム３の大きさには関係がない。
【００２３】
一般に選挙規制が及ばないのは、（１）下地層と広告層との関係を保ち、（２）視覚上一体化しないこと、（３）目的が一体化しないことを要件としているので、前記実施例は前記（１）、（２）、（３）の要件を満たしている。
【００２４】
前記において、広告フィルム６又は広告板７の表面へ立体視用プリズムシート１５を被着すれば、広告面を立体化することができる。
【実施例２】
【００２５】
この考案の他の実施例を図４について説明すると、文字１１、図形１２、模様１３及び色彩を施した合成樹脂シート１４の図形部１２へ、立体視用プリズムシート１５を被着固定すれば、この考案の広告シート１６ができる。この広告シート１６は、立体図形を有する広告シートとして表現される。
【００２６】
然して合成樹脂シートの一部のみ立体化されるので、著しい広告効果がある。
【図面の簡単な説明】
【００２７】
【図１】この考案の実施例の正面図。
【図２】同じく背面図。
【図３】（ａ）同じく左側面図、（ｂ）同じく右側面図。
【図４】（ａ）同じく他の実施例の平面図、（ｂ）Ａ−Ａ拡大断面図。
【符号の説明】
【００２８】
１  車体
２  模様
３  合成樹脂フィルム
４、８、１１  文字
５、９、１２  図形
６  広告フィルム
７  広告板
１０  選挙用自動車
１４  合成樹脂シート
１５  立体視用プリズムシート
１６  広告シート
【図１】
0003105476.tif 000003
【図２】
0003105476.tif 000004
【図３】
0003105476.tif 000005
【図４】
0003105476.tif 000006